(57)【要約】      （修正有）【課題】案内レールに支持された戸車と吊り戸との取付構造を改善し、作業を容易化した吊り戸装置を提供する。【解決手段】天井部の案内レール２と、案内レール２に転動走行可能に収納される戸車３と、戸車３に吊り下げ支持される吊り戸１とからなり、戸車３と吊り戸１は、吊り下げ軸３ｃの下端を螺合する第１取付部材４と、吊り戸１の上端に取り付けられる第２取付部材５とで連結されており、第１取付部材４と第２取付部材５とには、吊り戸１を戸車３に吊り下げる方向に係止するための係合部４ｂ、５ａが形成されており、この係合部４ｂ，５ａは吊り戸１の開閉方向にスライドさせることにより係合・離脱可能とされており、第１取付部材４には、係合部４ｂから吊り戸１の縦框１ａの端面１ｂに当接する屈曲延長部が形成されており、この屈曲延長部を吊り戸１の縦框１ａの端面１ｂにネジ６で取り付けるようにしてある。【選択図】図１
0003158037.tif 000002
【実用新案登録請求の範囲】
【請求項１】
天井部に取り付けられる案内レールと、この案内レールに上下２段の転動輪を介して転動走行可能に収納される戸車と、この戸車に吊り下げ軸を介して吊り下げ支持される吊り戸とからなり、前記戸車と吊り戸は、吊り下げ軸の下端を螺合するネジ穴を備えた第１取付部材と、吊り戸の上端に取り付けられる第２取付部材とで連結されており、
第１取付部材と第２取付部材とには、吊り戸を戸車に吊り下げる方向に係止するための係合部が形成されており、この係合部は吊り戸の開閉方向にスライドさせることにより係合・離脱可能とされており、
前記第１取付部材には、前記係合部から吊り戸の縦框の端面に当接する屈曲延長部が形成されており、この屈曲延長部を吊り戸の縦框の端面にネジで取り付けるようにしてあることを特徴とする吊り戸装置。
【請求項２】
前記第１取付部材の屈曲延長部の外面の上方延長線上に前記戸車の上下２段の転動輪の外周面がほぼ接するように配置してあることを特徴とする請求項１に記載の吊り戸装置。
【考案の詳細な説明】
【技術分野】
【０００１】
本考案は、吊り戸装置の改良に関するものである。
【背景技術】
【０００２】
一般に、吊り戸は、建物の天井部に取り付けられた案内レール内に転動走行可能に支持されている戸車に上端を吊り下げて軽快に開閉できるようにしている。
従来、上記吊り戸の取付施工順序は、先ず、所定個数の戸車を案内レールの端部から嵌め込んでおき、次に、案内レールを建物の天井部に取り付け、最後に吊り戸の上端を戸車に連結することになる（例えば、特許文献１の図２、図３参照）。
【先行技術文献】
【特許文献】
【０００３】
【特許文献１】特開２００５−３５１０４４号公報
【考案の概要】
【考案が解決しようとする課題】
【０００４】
上記特許文献１における吊り戸の上端を戸車に連結する作業は、戸車から垂下された吊り下げ軸の下端を吊り戸の上端に前もって取り付けてある取付金具のネジ穴にねじ込むことによって行われる。しかし、この作業は、案内レールと吊り戸の上端との間の僅かな隙間内で行う必要があり、作業性が非常に悪い。しかも、吊り戸と戸車の連結は、吊り戸の上端の２箇所乃至２箇所以上の複数箇所で行う必要があるため、非常に煩瑣で手間が掛かっていた。
【０００５】
本考案は、従来の吊り戸装置の上記問題点に鑑みて提案されたもので、その目的とする所は、案内レールに支持された戸車と吊り戸との取付構造を改善し、作業を容易化した吊り戸装置を提供することにある。
【課題を解決するための手段】
【０００６】
前記目的を達成するために本考案は、天井部に取り付けられる案内レールと、この案内レールに上下２段の転動輪を介して転動走行可能に収納される戸車と、この戸車に吊り下げ軸を介して吊り下げ支持される吊り戸とからなり、前記戸車と吊り戸は、吊り下げ軸の下端を螺合するネジ穴を備えた第１取付部材と、吊り戸の上端に取り付けられる第２取付部材とで連結されており、
第１取付部材と第２取付部材とには、吊り戸を戸車に吊り下げる方向に係止するための係合部が形成されており、この係合部は吊り戸の開閉方向にスライドさせることにより係合・離脱可能とされており、
前記第１取付部材には、前記係合部から吊り戸の縦框の端面に当接する屈曲延長部が形成されており、この屈曲延長部を吊り戸の縦框の端面にネジで取り付けるようにしてあることを特徴としている。
【０００７】
この構成によれば、天井部に取り付けられた案内レールに転動走行可能に収納されている戸車から垂下する吊り下げ軸の下端に、先ず、第１取付部材をネジ穴を介して螺合させておく。この作業は、第１取付部材を吊り戸に取り付ける前に行うものであり、第１取付部材だけを戸車の吊り下げ軸の下端に螺合させるだけであるから、案内レールの下部には障害物がない状態で自由に行うことができる。この作業は、吊り戸の開閉方向両端に取り付ける戸車２個分について行っておく。
【０００８】
また、第２取付部材を吊り戸の上端における開閉方向の両端付近に取り付けておく。この作業も、戸車及び第１取付部材とは関係なく、第２取付部材を単独で吊り戸の上面に取り付けるものであるから、空間的制約が全くない状態で行うことができる。
次に、吊り戸を案内レールの下に持ってきて、第１取付部材の係合部を第２取付部材の係合部に向けてスライドさせることにより係合させる。そして、第１取付部材の屈曲延長部を吊り戸の縦框の端面に当接させてネジ止めする。このネジ止め作業は、吊り戸の縦框の端面に向けて吊り戸のスライド方向（横方向）から行うことができ、案内レールと吊り戸の上端との狭い空間に制約されることなく行うことができる。
【０００９】
前記第１取付部材の屈曲延長部の外面の上方延長線上に前記戸車の上下２段の転動輪の外周面がほぼ接するように配置してあることが好ましい。
この構成によれば、吊り戸を案内レールのＬ型屈曲部やＴ型交差部において、最小半径でターンさせることができ、吊り戸の収納スペースを削減することができる。
【考案の効果】
【００１０】
本考案によれば、案内レールに支持された戸車と吊り戸との取付構造を改善し、作業を容易化した吊り戸装置を提供することができる。
【図面の簡単な説明】
【００１１】
【図１】本考案に係る吊り戸装置の要部正面図である。
【図２】本考案に係る吊り戸装置の要部側面図である。
【図３】本考案に係る吊り戸装置の第２取付部材の概略斜視図である。
【考案を実施するための形態】
【００１２】
以下、本考案に係る吊り戸装置の実施形態を図面を参照して説明する。
本考案の吊り戸装置は、図１、図２に示すように、吊り戸１が案内レール２に戸車３を介して開閉操作可能に吊り下げ支持されている。
案内レール２は、建物の開口部等の上部（天井部又は壁面等）に複数本のネジで取り付けられる。
【００１３】
この案内レール２は、図２に示すように、天面２ａと両側面２ｂと底面２ｃとを備え、底面２ｃの中央部にスリット２ｄが長手方向全長に亘って形成されている。このスリット２ｄの一側の底面２ｃは、他側の底面よりも厚肉とされ、その上面がスリット２ｄに向けて低くなる傾斜面とされて戸車３の下側の転動輪３ｂの転動走行面２ｅとされている。
上記スリット２ｄの他側の側面２ｂの内面における上下方向中間付近に中段部２ｆが内方へ突出して長手方向全長に亘って形成されており、この中段部２ｆの上面は、スリット２ｄに向けて低くなる傾斜面とされて戸車３の上側の転動輪３ａの転動走行面２ｇとされている。なお、これらの転動走行面２ｅ、２ｇの上部側面に戸車３の当接面２ｈ、２ｉが形成されており、これによって、戸車３の横振れを防止乃至規制している。この案内レール２は、アルミ引き抜き材で構成した場合を例示しているが、他の材料で構成してもよい。
【００１４】
戸車３は、上下２段の転動輪３ａ、３ｂと、これらの中心を貫通する吊り下げ軸３ｃとからなり、この吊り下げ軸３ｃは、その上部で転動輪３ａ、３ｂを上下２段にしてそれぞれ独立して回転自在に取付支持している。上下２段の転動輪３ａ、３ｂは、案内レール２の一側底面２ｃの上面の転動走行面２ｅと中段部２ｅの上面の転動走行面２ｇ及び当接面２ｈ、２ｉに当接して転動走行する。
【００１５】
吊り下げ軸３ｃの下端には雄ネジ部３ｄが形成してあり、この雄ネジ部３ｄの上部に角軸部３ｅが形成してある。
戸車３と吊り戸１は、吊り下げ軸３ｃの下端の雄ネジ部３ｄを螺合するネジ穴４ａを備えた第１取付部材４と、吊り戸１の上端に取り付けられる第２取付部材５とで連結されている。
【００１６】
第１取付部材４と第２取付部材５とには、吊り戸１を戸車３に吊り下げる方向に係止するための係合部４ｂ、５ａが形成されており、この係合部４ｂ、５ａは吊り戸１の開閉方向にスライドさせることにより係合・離脱可能とされている。
第１取付部材４には、係合部４ｂから吊り戸１の縦框１ａの端面１ｂに当接する屈曲延長部４ｃが形成されており、この屈曲延長部４ｃを吊り戸１の縦框１ａの端面１ｂにネジ６、６で取り付けるようにしてある。
【００１７】
第１取付部材４は、吊り戸１の厚さより小さい板幅の長方形の金属板をＬ型に屈曲して水平方向に平行な係合部４ｂと垂直方向に平行な屈曲延長部４ｃとを形成しており、係合部４ｂを吊り戸１の上端面に当接させるようにしてある。この係合部４ｂ側にネジ穴４ａが上下方向に貫通させて形成してあり、このネジ穴４ａに吊り下げ軸３ｃの下端の雄ネジ部３ｄが螺合させてある。このネジ穴４ａの形成位置は、第１取付部材４の屈曲延長部４ｃの外面の上方（垂直方向）延長線上に前記戸車３の上下２段の転動輪３ａ、３ｂの外周面がほぼ接するような位置関係を考慮して形成配置してある。
【００１８】
第２取付部材５は、図３に示すように、長方形の金属板形状とされ、長手方向の両端側を吊り戸１の上端面にネジ７、７で取り付けるようにしてあり、長手方向中央部の板幅方向両側を上方へ鉤状に屈曲させて第１取付部材４の係合部４ｂを板幅方向両側から抱持する係合部５ａが構成されている。これによって、第１取付部材４の係合部４ｂと、第２取付部材５の係合部５ａとは、吊り戸１を戸車３に吊り下げる方向に係止すると共に、吊り戸１の開閉方向にスライドさせることにより係合・離脱可能とされている。
【００１９】
本考案に係る吊り戸装置の実施形態は、上記構成からなり、次に、吊り戸１の取付時の施工例を説明する。
案内レール２を建物の天井部に取り付ける。この場合、吊り戸１で開閉する開口部と収納方向との関係位置や間仕切り部分と収納部との関係位置を考慮して、使用する案内レール２の形状や長さを決めて取り付ける。例えば、案内レール２は、平面視で、直線状のものを基本形状とし、Ｌ型（９０°以上１８０°以下を含む）に屈曲接続したものやＴ型に交差接続したもの等、いずれの形状のものにも適用できる。この案内レール２の取付時、必要な個数の戸車３を案内レール２内に収納しておく。そして、天井部に取り付けられた案内レール２に転動走行可能に収納されている戸車３から垂下する吊り下げ軸３ｃの下端の雄ネジ部３ｄに、先ず、第１取付部材４をネジ穴４ａを介して螺合させておく。
【００２０】
この作業は、第１取付部材４を吊り戸１に取り付ける前に行うものであり、第１取付部材４だけを戸車３の吊り下げ軸３ｃの下端の雄ネジ部３ｄに螺合させるだけであるから、案内レール２の下部には障害物がない状態で自由に行うことができる。この作業は、吊り戸１の開閉方向両端に取り付けることになる２個分の戸車３、３について行っておく。
また、第２取付部材５を吊り戸１の上端における開閉方向の両端付近にネジ７、７で取り付けておく。この作業も、戸車３及び第１取付部材４とは関係なく、第２取付部材５を単独で吊り戸１の上端面に取り付けるものであるから、空間的制約が全くない状態で行うことができる。
【００２１】
次に、吊り戸１を案内レール２の下に持ってきて、第１取付部材４の係合部４ｂを第２取付部材５の係合部５ａに向けてスライドさせることにより係合させる。そして、第１取付部材４の屈曲延長部４ｃを吊り戸１の縦框１ａの端面１ｂに当接させてネジ６、６で止める。このネジ止め作業は、吊り戸１の縦框１ａの端面１ｂに向けて吊り戸１のスライド方向（横方向）から行うことができ、案内レール２と吊り戸１の上端との狭い空間に制約されることなく行うことができる。なお、吊り戸１の縦框１ａの端面１ｂの上部には、吊り下げ軸３ｃの下端を受け入れ可能とするためのヌスミ凹部１ｃが形成してある。
【００２２】
吊り戸１の高さの微調整は、吊り下げ軸３ｃの角軸部３ｅをスパナで回転させて第１取付部材４のネジ穴４ａに対するねじ込み深さを調整することにより行う。調整後は、ロックナット８を第１取付部材４に向けて割りワッシャ９を介して締め付けることにより吊り下げ軸３ｃのネジ穴４ａに対する回転を拘束固定させてロックさせる。
以上で吊り戸１の取付作業は終了する。
【００２３】
吊り戸１を開閉するには、吊り戸１の取手等を持って案内レール２の長手方向にスライドさせれば、戸車３が転動走行して軽快に開閉することができる。そして、第１取付部材４の屈曲延長部４ｃの外面の上方（垂直方向）延長線上に戸車３の上下２段の転動輪３ａ、３ｂの外周面がほぼ接するように配置してあることにより、吊り戸１を案内レール２のＬ型屈曲部やＴ型交差部において、最小半径でターンさせることができ、吊り戸１の収納スペースを削減することができる。
【００２４】
本考案の実施形態は、以上であるが、本考案は、上記実施形態にのみ制約されるものではなく、実用新案登録請求項の範囲に記載の範囲内で自由に変更して実施することができるものである。
【産業上の利用可能性】
【００２５】
本考案に係る吊り戸装置は、建物の出入り口や室内の間仕切りに利用することができる。
【符号の説明】
【００２６】
１    吊り戸
２    案内レール
３    戸車
４    第１取付部材
５    第２取付部材
【図１】
0003158037.tif 000003
【図２】
0003158037.tif 000004
【図３】
0003158037.tif 000005